(57)【要約】【課題】画像読取装置１の電源投入後、可能な限り早期に、ランプを暖めて、ランプを所望の光量に到達させ、ランプの光量安定を図ることで、使用者の待ち時間を減らし、使用者の利便性向上に寄与する。【解決手段】画像読取装置１は、読み取り対象となる原稿に対し光を照射するランプと、ランプを発光させるためのランプ駆動回路９５と、ランプから原稿に照射された光の反射光が入射され、画像データを生成するためのイメージセンサ８７と、ランプの点消灯を制御するためランプ制御信号をランプ駆動回路９５に向けて出力する制御部９と、制御部９とは別に、ランプの点消灯を制御するランプ制御信号をランプ駆動回路９５に向けて出力する点灯制御回路９９とを備え、点灯制御回路９９は、装置の電源投入時、制御部９が起動する前からランプを点灯させる。【選択図】図５
2010004242.tif 000002
【特許請求の範囲】
【請求項１】
読み取り対象となる原稿に対し光を照射するランプと、
ランプを点灯させるためのランプ駆動回路と、
前記ランプから原稿に照射された光の反射光が入射され、画像データを生成するためのイメージセンサと、
前記ランプの点消灯を制御するためランプ制御信号を前記ランプ駆動回路に向けて出力する制御部と、
前記制御部とは別に、前記ランプの点消灯を制御するランプ制御信号を前記ランプ駆動回路に向けて出力する点灯制御回路とを備え、
前記点灯制御回路は、装置の電源投入時、前記制御部が駆動する前から前記ランプを点灯させることを特徴とする画像読取装置。
【請求項２】
検出温度により出力電圧が変化する温度検出体を備え、
前記温度検出体の出力電圧は、前記点灯制御回路に入力され、
前記点灯制御回路は、前記温度検出体による検出温度が所定温度を超えていると認められる時、前記ランプを点灯させないことを特徴とする請求項１記載の画像読取装置。
【請求項３】
前記点灯制御回路は、コンパレータを備え、
前記コンパレータは、前記温度検出体の出力電圧と、別途生成される基準電圧とを比較し、前記温度検出体による検出温度が所定温度を超えているか否かを判定し、
前記点灯制御回路は、前記コンパレータの判定結果により、前記ランプを点灯させるか否か決定されることを特徴とする請求項２記載の画像読取装置。
【請求項４】
前記温度検出体は、サーミスタと抵抗からなる直列回路を備え、
前記直列回路には、電圧が印加され、
前記温度検出体からは、サーミスタと抵抗間の電圧が出力電圧として取り出されることを特徴とする請求項２又は３記載の画像読取装置。
【請求項５】
前記制御部のランプ制御信号と、前記点灯制御回路のランプ制御信号の２つが入力されるＯＲ回路が設けられ、
前記ＯＲ回路の出力が、前記ランプ駆動回路に入力されることを特徴とする請求項１乃至請求項４のいずれか１項に記載の画像読取装置。
【請求項６】
前記ランプは、冷陰極ランプであることを特徴とする請求項１乃至５のいずれか１項に記載の画像読取装置。
【請求項７】
請求項１乃至６のいずれか１項に記載の画像読取装置を備えた画像形成装置。
【請求項８】
シートに転写されたトナー像を加熱・加圧して定着させる定着部を備え、
前記温度検出体は、画像読取装置内ではなく、前記定着部に設けられることを特徴とする請求項７記載の画像形成装置。
【発明の詳細な説明】
【技術分野】
【０００１】
本発明は、スキャナ等の原稿の読取を行う画像読取装置に関する。又、この画像読取装置を備えた画像形成装置に関する。
【背景技術】
【０００２】
従来、原稿の読み取りを行い、画像データを出力する画像読取装置がある。又、複写機、複合機、ＦＡＸ装置等の画像形成装置では、コピーやスキャンのため、画像読取装置が装備される。そして、一般に、画像読取装置は、原稿に対し光を照射するランプを備え、原稿の反射光をイメージセンサに導き、画像データを得る。この画像読取では、ランプを発光させる必要があるが、電源投入から間もない時点では、ランプが暖まっていない等の理由で、読み取りを行う上で必要なランプの光量を得られない場合や、光量が不安定な場合がある（例えば、前日に主電源を切り翌日の業務開始時に主電源が投入される場合、画像読取装置が電源ＯＦＦのまま低温環境に長時間おかれた場合等）。即ち、主電源投入後に、直ぐには画像読取を行えず、ランプの光量が安定するまで待つ必要がある。
【０００３】
このような、ランプ光量安定まで時間がかかる点に対し、特許文献１の発明が存在する。具体的に、特許文献１には、冷陰極光源と、光源を調光する手段と、光学系を副走査方向に駆動する駆動手段と、電気的な画像信号に変換する複数のイメージセンサと、画像信号をデジタル信号に変換するＡ／Ｄ変換器と、デジタル変換された画像信号を外部装置に転送する手段と、デジタル変換された画像データのピーク値を読み取る手段と、キャリブレーションを読み取り毎に行う手段と、メモリー等に記録してあるキャリブレーションデータを使用して、キャリブレーションを毎回行わず画像読み取りを行う手段と、毎回キャリブレーションを行う手段と、キャリブレーションを行わない手段を、切り替える手段を有する画像読取装置において、冷陰極光源が、光源点灯時の不安定状態では、キャリブレーションを毎回行わず画像読み取りを行う手段を、選択できないようにする画像読取装置が記載されている。この構成で、冷陰極光源の不安定な状況での画像読み取りを回避できるスキャナを提供しようとする。（特許文献１：請求項１、段落［０００８］等参照）。
【特許文献１】特開２００５−３１８０６７
【発明の開示】
【発明が解決しようとする課題】
【０００４】
上述したように、画像読取装置のランプが所望の光量となり、安定するには、ランプが暖まるまで、一定時間、予備的に点灯させる必要がある。この電源投入時のランプ点灯制御の従来例を図８を用いて説明する（ランプには冷陰極ランプを使用）。図８は、従来の画像読取装置の主電源投入時の動作の一例を示すタイミングチャートである。
【０００５】
まず、最上段のチャートは、複写機の主電源を示している（図８においてＡ´の時点で主電源ＯＮ）。上から２段目のチャートは、画像読取装置の制御を行う制御基板の駆動開始を示している（図８においてＢ´の時点で駆動開始）。具体的には、主電源ＯＮ後、電源装置が制御基板駆動用の電圧を生成し、ＣＰＵが起動し、制御プログラムがメモリから読み出され、制御基板のＣＰＵがプログラムを実行し、ＣＰＵのポート設定等の立ち上げ処理がなされる。これらの手順を踏んだ上で、ランプの点灯制御可能状態となる（Ｂ´の時点）。
【０００６】
従来、ランプの点灯制御は、制御基板が行っており、上から３段目のチャートで示すように、制御基板の駆動開始後、ランプを暖めるため、ランプ制御信号（リモート信号）がＨｉｇｈ状態となる（制御基板から発信、図８においてＣ´の時点）。この時、図８の最下段のチャートに示す冷陰極ランプが点灯を開始する。そして、Ｃ´の時点からの点灯開始後、点灯時間をＣＰＵ等がカウントし、冷陰極ランプが所望の光量に達し、安定状態となる（図８においてＤ´の時点）。そして、冷陰極ランプの安定後、シェーディング補正等の読取における自動調整機能の設定が行われる（Ｄ´の時点からＥ´の時点まで）。従って、図８に示す例では、電源投入からＡ´−Ｅ´間（時間ＴＡとして図示）の時間を経過して初めて、画像読取装置が利用可能な状態となる。
【０００７】
ここで、通常、ランプは直ぐに光量が安定しない（例えば、冷陰極ランプで数十秒程度）。従って、制御基板の駆動開始までの時間と、ランプ光量が安定するまでの時間とを合わせると、使用者の待ち時間は長くなる。即ち、画像読取装置のランプ光量安定までの待ち時間は、主電源投入から読取可能状態まで、若しくは、画像形成装置に搭載されている場合は、ファーストコピー（主電源投入から最初のコピー）までの時間短縮化に悪影響を与えているという問題がある。
【０００８】
ここで、特許文献１記載の画像読取装置によれば、確かに、濃度が異常な画像や、Ｓ／Ｎ比の悪い画像の読み取りを防ぐことができる場合があるが（特許文献１：段落［０００６］参照）、この発明は、キャリブレーションを毎回行わず画像読み取りを行う手段を選択できないようにするのみであり、ランプの光量が不安定でも読み取りを許可するから、根本的に、得られた画像データの品質は良くないという問題がある。又、上記問題に対して、積極的に使用者の待ち時間を減らして問題の解決を図るものではない。むしろ、電源投入後、早期にランプ光量が安定すれば、特許文献１記載の発明を実施する必要はない。
【０００９】
本発明は、上記従来技術の問題点に鑑み、画像読取装置の電源投入後、可能な限り早期に、ランプを暖めて、ランプを所望の光量に到達させ、ランプの光量安定を図ることで、使用者の待ち時間を減らし、使用者の利便性向上に寄与することを課題とする。
【課題を解決するための手段】
【００１０】
上記目的を達成するために、請求項１に係る画像読取装置は、読み取り対象となる原稿に対し光を照射するランプと、ランプを点灯させるためのランプ駆動回路と、前記ランプから原稿に照射された光の反射光が入射され、画像データを生成するためのイメージセンサと、前記ランプの点消灯を制御するためランプ制御信号を前記ランプ駆動回路に向けて出力する制御部と、前記制御部とは別に、前記ランプの点消灯を制御するランプ制御信号を前記ランプ駆動回路に向けて出力する点灯制御回路とを備え、前記点灯制御回路は、装置の電源投入時、前記制御部が駆動する前から前記ランプを点灯させることとした。
【００１１】
この構成によれば、点灯制御回路は、装置の電源投入時、制御部が起動する前からランプを点灯させるので、早期に、ランプを暖めて、ランプを所望の光量に到達させ、ランプの光量を安定させることができる。又、早期にランプの光量か安定するから、画像読取実行前の自動調整制御（シェーディング補正やゲイン調整等）に早期に移行することができる。従って、読み取った画像データの品質低下する弊害もなく、早期に画像読取装置が利用できる状態となり、電源投入からの使用者の待ち時間の短縮化を図ることができる。
【００１２】
又、請求項２に係る発明は、請求項１記載の発明において、検出温度により出力電圧が変化する温度検出体を備え、前記温度検出体の出力電圧は、前記点灯制御回路に入力され、前記点灯制御回路は、前記温度検出体による検出温度が所定温度を超えていると認められる時、前記ランプを点灯させないこととした。
【００１３】
エラー状態解消やリセットのため、主電源ＯＦＦ後、直ちに主電源を投入した場合などランプがすでに暖まっている場合、電源投入時に発光安定のためのランプ発光は必要ないところ、この構成によれば、点灯制御回路は、温度検出体による検出温度が所定温度を超えていると認められる時、ランプを点灯させる制御を行わないので、電源投入時のランプの発光の必要性の有無を自動的に判定することができる。そして、ランプがまだ暖かいと認められる場合、主電源投入時、ランプを暖めるための余計な点灯を行わないので、消費電力の削減も達成することができる。
【００１４】
又、請求項３に係る発明は、請求項２記載の発明において、前記点灯制御回路は、コンパレータを備え、前記コンパレータは、前記温度検出体の出力電圧と、別途生成される基準電圧とを比較し、前記温度検出体による検出温度が所定温度を超えているか否かを判定し、前記点灯制御回路は、前記コンパレータの判定結果により、前記ランプを点灯させるか否か決定されることとした。この構成によれば、電源投入時のランプの発光の必要性の有無を自動的に判定することができ、そのための構成は非常に簡易かつ安価にできる。従って、画像読取装置の製造コストを抑えることができる。
【００１５】
又、請求項４に係る発明は、請求項２又は３記載の発明において、前記温度検出体は、サーミスタと抵抗からなる直列回路を備え、前記直列回路には、電圧が印加され、前記温度検出体からは、サーミスタと抵抗間の電圧が出力電圧として取り出されることとした。この構成によれば、温度検出体の構成を極めて簡易かつ容易にすることができ、画像読取装置の製造コストを抑えることができる。
【００１６】
又、請求項５に係る発明は、請求項１乃至請求項４に記載の発明において、前記制御部のランプ制御信号と、前記点灯制御回路のランプ制御信号の２つが入力されるＯＲ回路が設けられ、  前記ＯＲ回路の出力が、前記ランプ駆動回路に入力されることとした。この構成によれば、ＯＲ回路の出力が、ランプ駆動回路に入力されるので、制御部からのランプ制御信号と、点灯制御回路のランプ制御信号の２つをランプ駆動回路に入力する必要がなく、配線や構成を簡易化することができる。従って、画像読取装置の製造コストを抑えることができる。
【００１７】
又、請求項６に係る発明は、請求項１乃至５に記載の発明において、前記ランプは、冷陰極ランプであることとした。この構成によれば、光量が安定するまで、比較的時間を要する冷陰極ランプを用いた場合でも、電源投入後、早期に光量を安定させることができる。しかも、冷陰極ランプは、他のランプに比べて安価であるため、画像読取装置の製造コストを抑えることができる。
【００１８】
又、請求項７に係る画像読取装置は、請求項１乃至６のいずれか１項に記載の画像読取装置を備えることとした。この構成によれば、早期にランプの光量が安定するので、ファーストコピーまでの時間が短縮化された画像形成装置を提供することができる。
【００１９】
又、請求項８に係る発明は、請求項７記載の発明において、シートに転写されたトナー像を加熱・加圧して定着させる定着部を備え、前記温度検出体は、画像読取装置内ではなく、前記定着部に設けられることとした。定着装置（定着部）は、ヒータを有し、トナー像を加熱して定着を行うが、定着装置は、定着可能温度に達しているか、及び、過昇温防止等の観点から温度制御が必須で温度検出体を設ける必要がある装置であるところ、この構成によれば、定着部に設けられる温度検出体を利用するので、主電源投入時のランプを暖めるためのランプ点灯の必要性の有無の判定と、定着装置の温度検出を、１つの温度検出体で行うことができる。従って、画像形成装置の製造コストを抑えることができる。
【発明の効果】
【００２０】
上述の通り、本発明によれば、電源投入時、早期にランプが暖められるので、画像読取可能までの時間、又は、ファーストコピーまでの時間が短い画像読取装置、画像形成装置を提供することができる。
【発明を実施するための最良の形態】
【００２１】
以下、本発明の実施形態について図１〜７を参照しつつ説明する。但し、本実施の形態に記載されている構成、配置等の各要素は、発明の範囲を限定するものではなく単なる説明例にすぎない。
【００２２】
（画像形成装置の概略）
まず、図１及び２を用いて、本発明の実施形態における画像読取装置１を備えた電子写真方式の複写機２（画像形成装置に相当）の概略を説明する。図１は、本発明の実施形態に係る複写機２の概略構成を示す正面から見た模型的断面図である。図２は、本発明の実施形態に係る温度センサＳの一例を示す回路図である。
【００２３】
図１に示すように、本実施形態に係る複写機２は、上方に画像読取装置１が配される。画像読取装置１は、主として上方の原稿を搬送する原稿搬送部７と、原稿搬送部７の下方に配され、原稿に光を照射し、反射光により読取を行う画像読取部８から構成される。尚、画像読取装置１の詳細な説明は、後述する。
【００２４】
次に、複写機２内部の構成、動作について説明する。複写機２は内部に、シート供給部３、シート搬送路４、画像形成部５、定着部６等を備え、画像読取部８の下方位置に排紙空間が設けられる。そこで、これらの構成をシートの搬送経路に沿って説明する。尚、図１に複写機２内でのシートの搬送経路を実線矢印で図示する。
【００２５】
まず、シート供給部３は、複写機２の最下部に設けられ、例えば、コピー用紙、ＯＨＰシート、ラベルシート等の各種、各サイズ（Ａ４、Ｂ５等）のシートを収容する。そして、シート供給部３のシート搬送方向下流側上方に、給紙ローラ３１が設けられる。給紙ローラ３１は、最上位のシートに当接し、シート供給の際、所定の方向（図１では時計方向）に回転駆動し、シートを１枚ずつシート搬送路４に送り出す。
【００２６】
シート搬送路４は、本実施形態では、複写機２内でシートを搬送し、シート供給部３から画像形成部５を経て、排出トレイ４１までシートを搬送する。そして、シート搬送路４には、駆動機構（不図示）により回転駆動する搬送ローラ対４２や、シートを案内するための複数のガイド板（不図示）や、レジストローラ対４３や、シート排出のための排出ローラ対４４等が設けられる。
【００２７】
画像形成部５は、図１において、複写機２内の中央左方の位置に配され、画像読取装置１が読み取った原稿や複写機２に入力された画像データ等に基づき、形成すべき画像のトナー像を形成し、シートに転写を行う。そして、画像形成部５は、像担持体としての感光体ドラム５１、帯電装置５２、露光装置５３、現像装置５４、転写ローラ５５、清掃装置５６等で構成される。感光体ドラム５１は、画像形成部５の略中央に配され、駆動装置（不図示）によって所定の方向（図１では時計方向）に回転駆動し、外周面上にアモルファスシリコン等の感光層を有する。帯電装置５２は、図１の感光体ドラム５１の右斜め上方に対向して配され、所定の電位で感光体ドラム５１の周面を帯電させる。尚、コロナ放電式のものの他、帯電ローラ、ブラシ等を用いても良い。
【００２８】
露光装置５３は、図１における感光体ドラム５１及び帯電装置５２の右側方に配され、帯電後の感光体ドラム５１の周面に、形成すべき画像の画像データに基づき光（例えば、レーザ光）を照射し、周面を走査・露光する。これにより、感光体ドラム５１の周面に画像データに対応した静電潜像が形成される。現像装置５４は、図１において感光体ドラム５１の下方に設けられ、収容するトナーを所定の電位に帯電させ、そのトナーを静電潜像に供給する。これにより、静電潜像がトナー像として現像される。
【００２９】
転写ローラ５５は、図１において、感光体ドラム５１の左斜め下方に回転可能に支持され、感光体ドラム５１上に形成されたトナー像をシートに転写する。そのため、転写ローラ５５は、感光体ドラム５１に当接しニップを形成する。そして、このニップにシートが進入し転写ローラ５５にトナーの帯電極性と逆の極性の電圧が印加され、トナー像のシートへの転写がなされる。清掃装置５６は、図１において、感光体ドラム５１の上方に配され、感光体ドラム５１の周面上の残トナーや塵芥等を除去、回収する。
【００３０】
定着部６は、本実施形態では、発熱体Ｈを内蔵する加熱ローラ６１、加圧ローラ６２等を有し、シートに転写されたトナー像を加圧・加熱しシートに固着させる。加熱ローラ６１は内部に発熱体Ｈが内蔵され、加圧ローラ６２と加熱ローラ６１は、互いに圧接してニップを形成する。このニップにトナー像が転写されたシートを進入し、トナーの定着が行われる。定着完了後のシートは、排出トレイ４１に排出される。
【００３１】
尚、定着部６には、図１に示すように、温度センサＳ（温度検出体に相当）を設けることができる。この温度センサＳは、加熱ローラ６１の温度検出のため、加熱ローラ６１の近傍（図１では右隣）に設けることができる。即ち、検出温度により出力電圧が変化する温度センサＳが設けられる。温度センサＳは接触式でも、非接触式でもよい。この温度センサＳは、定着部６の温度監視のほか、本発明の実施に関し、画像読取部８のランプが冷えているかの判定にも用いられる（詳細は後述）。
【００３２】
（温度センサＳの構成）
次に、図２を用いて、温度センサＳの一例を説明しておく。図２に示すように、本実施形態の温度センサＳは、サーミスタ６３と抵抗６４の直列回路により構成できる。この直列回路のサーミスタ６３側の一端に所定の電圧Ｖ１が、抵抗６４側の一端にはグランドが接続される。即ち、直列回路には、電圧Ｖ１が印加される。そして、サーミスタ６３と抵抗６４の間の電圧が温度センサＳの出力電圧Ｖｓとして取り出される。尚、本実施形態の温度センサは、温度が高いほど、サーミスタ６３の抵抗値が小さくなるので、電流が増加するから、出力電圧Ｖｓは大きくなる。一方、温度が低いほど、サーミスタ６３の抵抗値が大きくなるから出力電圧Ｖｓは小さくなる。
【００３３】
（画像読取装置１の構成）
次に、図３を用いて、本発明の実施形態に係る画像読取装置１の詳細を説明する。図３は、本発明の実施形態に係る複写機２の画像読取装置１部分の拡大模型的断面図である。まず、原稿搬送部７について説明する。
【００３４】
原稿搬送部７は、読取を行う原稿の搬送を自動的、連続的に行い、原稿搬送方向上流側から順に、原稿トレイ７１、原稿搬送路７２、原稿供給ローラ７３、原稿搬送ローラ対７４、原稿排出ローラ対７５、原稿排出トレイ７６等を備える。又、原稿搬送部７は、画像読取部８の上方に図３の紙面奥側を支点として画像読取部８に開閉自在に取り付けられ、画像読取部８のコンタクトガラス（送り読取用コンタクトガラス８１ａ及び載置読取用コンタクトガラス８１ｂ）を上方から押さえるカバーとして機能する。
【００３５】
原稿トレイ７１は、複数枚の原稿を載置でき、原稿搬送路７２の上流端に接続される。そして、原稿供給ローラ７３は、最上位の原稿に当接し、原稿読取や複写をする旨の入力が複写機２に入力されると、原稿搬送路７２に原稿を送り出す。送り出された原稿は、複数の原稿搬送ローラ対７４やガイドに導かれ、画像読取部８上面の送り読取用コンタクトガラス８１ａの上面を通過する。この通過の際、画像読取部８が読取を行う。そして、読取が完了した原稿は、原稿排出ローラ対７５から原稿排出トレイ７６に排出される（原稿搬送経路を２点鎖線で図示）。
【００３６】
次に、本実施形態における画像読取部８を説明する。図１や３に示すように、本実施形態における画像読取部８は、箱形の筐体を有する。そして、画像読取部８の上面に、図３の左方から、板状の送り読取用コンタクトガラス８１ａ、載置読取用コンタクトガラス８１ｂが配される。尚、送り読取用コンタクトガラス８１ａと載置読取用コンタクトガラス８１ｂの間のガイド８１ｃの下面側に、後述する画像処理部９７でのシェーディング補正に用いられる白色板８２が設けられる。白色板８２は、樹脂等で形成される。
【００３７】
送り読取用コンタクトガラス８１ａは、原稿搬送部７により搬送される原稿が通過する面であり、送り読取用コンタクトガラス８１ａの下方で後述する第１移動枠８３ａ、第２移動枠８３ｂを留めて通過する原稿の読取が行われる。一方、載置読取用コンタクトガラス８１ｂは、書籍や新聞など、原稿を１枚ずつ読み取る場合、原稿搬送部７を持ち上げた上で、読取面を下向きにして原稿を載置する面である。又、載置読取用コンタクトガラス８１ｂでの原稿読取は、第１移動枠８３ａと第２移動枠８３ｂを、後述する巻取ドラム８５等によりホームポジションから図３の右方向に水平に移動させて行う。
【００３８】
又、図３に示すように、画像読取部８の筐体内には、第１移動枠８３ａ、第２移動枠８３ｂ、ワイヤ８４、巻取ドラム８５、レンズ８６、ランプから原稿に照射された光の反射光が入射され、画像データを生成するためのイメージセンサ８７等が配される。第１移動枠８３ａは、上方に、読み取り対象となる原稿に対し光を照射する冷陰極ランプ８８（ランプに相当）を、下方に第１ミラー８９ａを支持する。第２移動枠８３ｂは、上方に第２ミラー８９ｂを、下方で第３ミラー８９ｃを支持する。又、第１移動枠８３ａは第２移動枠８３ｂの上方に配される。又、この第１移動枠８３ａ及び第２移動枠８３ｂにはワイヤ８４が取り付けられ、ワイヤ８４の他端が巻取ドラム８５に接続され、モータ、ギア等の駆動機構（不図示）により巻取ドラム８５が正逆回転し、第１移動枠８３ａと第２移動枠８３ｂが水平方向に移動する。
【００３９】
又、第１移動枠８３ａに支持される冷陰極ランプ８８は、送り読取用コンタクトガラス８１ａ及び載置読取用コンタクトガラス８１ｂの下方に、図３の紙面垂直方向に伸びた形状である。そして、第１ミラー８９ａ、第２ミラー８９ｂ、第３ミラー８９ｃも、図３の紙面垂直方向に伸びて形成され、高反射率の材料が塗布される。
【００４０】
ここで、具体的な原稿読取動作の一例を説明しておく。まず、原稿搬送部７により搬送される原稿の読取について説明する。まず、原稿トレイ７１から搬送された原稿は、送り読取用コンタクトガラス８１ａの上面を通過しつつ搬送される。そして、送り読取用コンタクトガラス８１ａの下方位置に、第１移動枠８３ａと第２移動枠８３ｂが配置され、通過する原稿に対し、冷陰極ランプ８８が光を照射する。
【００４１】
冷陰極ランプ８８から発せられた光は、送り読取用コンタクトガラス８１ａ上の原稿に当たり、その反射光を第１ミラー８９ａは、画像読取部８の左側面方向に向けて反射し、その光路上に第２ミラー８９ｂが配され、第２ミラー８９ｂは下方に向け、光を反射し、その光路上に第３ミラー８９ｃが配され、第３ミラー８９ｃは、スキャナの右方に向け光を反射する。その後、反射光は、レンズ８６に集光され、例えば、ＣＣＤのラインセンサ等から構成されるイメージセンサ８７に入射され、画像濃度に応じたアナログの電気信号に変換される。この原稿の主走査方向（原稿搬送方向と垂直な方向）にライン単位で読取を行い、このライン単位の読取を副走査方向（原稿搬送方向）に連続して繰り返し行うことで、１枚の原稿が読み取られる。
【００４２】
一方、載置読取用コンタクトガラス８１ｂ上に載置された原稿を読み取る場合には、第１移動枠８３ａ及び第２移動枠８３ｂを巻取ドラム８５やワイヤ８４等により、画像読取部８の右側面方向（図３の右方）に移動させつつ、走査動作を、順次原稿端部まで連続的に行うことで、原稿画像全体が読み取られ、原稿画像が電気信号に変換される。
【００４３】
次に、図４に基づき、本発明の実施形態に係る画像形成装置及び画像読取装置１のハードウェア構成の一例を説明する。図４は、本発明の実施形態に係る画像読取装置１のブロック図である。
【００４４】
まず、図４に示すように、本実施形態の複写機２では、画像読取装置１内に、原稿搬送部７と画像読取部８の動作制御やランプの点消灯を制御するためランプ制御信号を後述のランプ駆動回路９５に向けて出力する制御部９と、画像形成プロセスやシート搬送や加熱ローラ６１の温度等の制御を行う本体制御部１０の２つの制御基板が設けられる。
【００４５】
本体制御部１０には、中央演算処理装置として、ＣＰＵ１０１が設けられ、ＲＡＭ（Random Access Memory）やＲＯＭ（Read Only Memory）やＨＤＤ（Hard disk drive）やフラッシュＲＯＭ等の不揮発性と揮発性のメモリからなる記憶部１０２を有する。この記憶部１０２に、加熱ローラ６１の温度制御等、各種制御を行うために必要なプログラム、データや、画像読取装置１により読み取った画像データを記憶することができる。
【００４６】
そして、本体制御部１０には、シート供給部３、シート搬送路４、画像形成部５、定着部６と接続され、本体制御部１０は、接続される各部の動作制御を行う。又、温度センサＳの出力も本体制御部１０に入力される。尚、温度センサＳの出力は、後述する画像読取装置１の点灯制御回路９９にも入力される。
【００４７】
一方、画像読取装置１の制御部９にも、中央演算処理装置として、ＣＰＵ９１が設けられ、記憶装置として、ＲＯＭ９２、フラッシュＲＯＭ９３、ＲＡＭ９４等が設けられる。ＲＯＭ９２、フラッシュＲＯＭ９３は、画像読取装置１の制御に必要なプログラム、データを記憶する不揮発性メモリである。ＲＡＭ９４は、画像読取装置１の制御を行う際のプログラムやデータが展開される揮発性のメモリである。そして、制御部９は、本体制御部１０と接続され、例えば、コピーを行う旨が複写機２に入力された場合など、本体制御部１０からの指示を受け、画像読取装置１の動作制御を行う。
【００４８】
そして、制御部９には、画像読取部８の以下のような各構成が接続される。具体的に、画像読取部８の冷陰極ランプ８８を実際に点灯させるためのランプ駆動回路９５や、巻取ドラム８５や、イメージセンサ８７が接続される。そして、原稿読取時、制御部９は、各部材を制御し、冷陰極ランプ８８を点灯させ、巻取ドラム８５により各移動枠を移動させ、イメージセンサ８７を駆動させ、アナログの画像データを得る。更に、画像読取部８には、得られたアナログの電気信号をディジタル信号に変換するＡ／Ｄ変換部９６や、得られたディジタルの画像データに対し画像処理を行う画像処理部９７や、画像データを蓄積するための画像メモリ９８が搭載される。この画像メモリ９８内の画像データは、本体制御部１０に送信され、更に、画像処理後、露光装置５３による露光に用いられ、又は、記憶部１０２のＨＤＤ等に記憶される。
【００４９】
Ａ／Ｄ変換部９６は、イメージセンサ８７から出力される原稿のアナログ信号を、Ａ／Ｄ変換し、ディジタル信号に変換する。Ａ／Ｄ変換部９６は、アナログ信号をサンプルホールドし、アナログ信号の出力の大きさに合わせて量子化を行い、各画素の濃度値を得る。これにより、ディジタルの画像データが得られる。
【００５０】
画像処理部９７は、読み取った画像データに対し、画像処理を施す部分である。尚、画像処理には多くの種類があるが、本説明では、画像処理部９７について、読み取りの自動調整に関する画像処理についてのみ述べ、他の画像処理については、公知の例を適用できるものとして説明を省略する。
【００５１】
例えば、読み取りの自動調整に関する画像処理には、シェーディング補正及びゲイン調整が挙げられる。シェーディング補正とは、イメージセンサ８７の各画素には、個体差や、画素位置によって、同一の原稿を読み取っても得られる各画素の濃度値が異なる場合がある。そこで、上述の白色板８２を白色の基準として誤差の修正を行う補正が、シェーディング補正である。例えば、白色板８２を読み取った際の濃度値を補正係数として用い、以後の読み取られた画像データの各画素に対し、例えば、補正後濃度値＝補正前濃度値×（最大濃度値（例えば２５５）／白色板８２を読み取った際の濃度値）のような演算を行って、濃度値の補正を行う。又、ゲイン調整は、例えば、イメージセンサ８７の生の出力値は小さくＡ／Ｄ変換部９６等で増幅する場合があり、この増幅率を設定する。尚、読み取りの自動調整に関する設定、画像処理は、的確な設定・処理のため、電源投入後、冷陰極ランプ８８の光量安定後に行われる。
【００５２】
又、ランプ駆動回路９５は、原稿に光を照射する冷陰極ランプ８８を実際に点灯させるための回路である。ランプ駆動回路９５は、インバータ等を備えた回路であり、冷陰極ランプ８８を点灯できれば良く、回路構成に特に制限はない。そして、制御部９は、ランプ駆動回路９５の動作を制御して、冷陰極ランプ８８の点消灯を制御することができる。
【００５３】
そして、制御部９とは別に、ランプの点消灯を制御するランプ制御信号をランプ駆動回路９５に向けて出力する回路として点灯制御回路９９が設けられる。特に、点灯制御回路９９は、主電源投入時、制御部９の制御によらず、冷陰極ランプ８８を点灯可能であり、制御部９とは別回路を構成する。これにより、本実施形態の画像読取装置１は、電源投入時、制御部９の立ち上げを待たずに冷陰極ランプ８８を点灯させることができる。
【００５４】
尚、複合機内部には、電源装置１１が設けられ、この電源装置１１は本体制御部１０と接続され、本体制御部１０は、電源装置１１の駆動制御を行うとともに、その出力電圧等を監視する。そして、電源装置１１は、商用電源等に接続され、整流、昇圧、降圧等を行い、複写機２に要求される各種電圧を生成する。例えば、電源装置１１は、原稿搬送部７、画像読取部８、シート供給部３、シート搬送路４、画像形成部５、定着部６等の各回転部材を回転させるモータに供給する電圧（例えば、ＤＣ２４Ｖ）を生成する。又、電源装置１１は、例えば、本体制御部１０や、制御部９の回路素子を駆動させるための電圧（例えば５Ｖ、３．３Ｖ）を生成し、供給する。又、電源装置１１は、例えば、温度センサＳに印加するＶ１や、点灯制御回路９９に用いる電圧（例えば、後述するＶ２、Ｖ３）や、冷陰極ランプ８８の点灯用の電圧を生成し、温度センサＳや点灯制御回路９９やランプ駆動回路９５に供給する。尚、図４の記載の煩雑化を防ぐため、図４において、電源装置１１からの電力供給関係の記載は省略する。
【００５５】
そこで、図５に基づき、本発明の実施形態に係る点灯制御回路９９の一例を説明する。図５は、本発明の実施形態に係る点灯制御回路９９の一例を示す回路図である。
【００５６】
図５において、破線で囲う部分が点灯制御回路９９である。点灯制御回路９９は、電源投入時、先の画像形成装置が電源ＯＦＦから、冷陰極ランプ８８を点灯させても所望の光量に達しないほど、冷陰極ランプ８８が冷えているか（時間が経過したか）を判定し、冷陰極ランプ８８を点灯させても所望の光量で発光しないと認められれば、制御部９及びＣＰＵ９１の起動前に、冷陰極ランプ８８を点灯させる回路である。
【００５７】
従来は、制御部９のみが冷陰極ランプ８８の点灯を制御しており、冷陰極ランプ８８は制御部９及びＣＰＵ９１の起動、ＲＯＭ９２からのプログラム読み出し、ポート設定等の制御部９の起動が完了後でなければ、冷陰極ランプ８８を暖めるための点灯がなされず、冷陰極ランプ８８の光量安定状態となるまで電源投入から数十秒〜数分程度要していた。しかし、本実施形態の画像読取装置１は、点灯制御回路９９により、電源投入時、冷陰極ランプ８８が冷えていると認められれば、直ちに冷陰極ランプ８８を点灯させ、暖める。
【００５８】
一方、電源投入時、先の複写機１の主電源ＯＦＦから、時間が経過しておらず、冷陰極ランプ８８が冷えていないと認められれば、制御部９の起動前に冷陰極ランプ８８を点灯させる必要はない。例えば、エラー等で複写機２が停止した場合、リセットのため、複写機２の主電源ＯＦＦとＯＮが短時間の間になされることがあるが、このような場合、冷陰極ランプ８８は、冷えてはいないので、光量はいまだ安定した状態である。
【００５９】
そこで、装置内の温度を温度センサＳで、冷陰極ランプ８８が冷えてしまっているか否かを、点灯制御回路９９は判定する。ここで、冷陰極ランプ８８の温度を直接測らずとも主電源ＯＦＦから時間が経過して、冷陰極ランプ８８が冷えていることを判定できればよい。そこで、本実施形態では、定着部６の加熱ローラ６１の温度検出用の温度センサＳの出力電圧Ｖｓを利用する。これにより、冷陰極ランプ８８が冷えているかを判定するためのセンサと加熱ローラ６１の温度検出用の温度センサＳと共用することができる。
【００６０】
具体的に、点灯制御回路９９は、コンパレータＣＯＭと基準電圧生成部で構成される。そして、コンパレータＣＯＭの−端子に、温度センサＳの出力電圧Ｖｓが入力される。即ち、温度センサＳの出力電圧Ｖｓは、点灯制御回路９９に入力される。又、基準電圧生成部は、２つの抵抗Ｒ１、Ｒ２で構成される直列回路であり、直列回路の一端には所定の電圧Ｖ２が、他端にはグランドが接続され、抵抗Ｒ１、Ｒ２間の電圧が基準電圧ＶａとしてコンパレータＣＯＭの＋端子に入力される。従って、コンパレータＣＯＭは、温度センサＳの出力電圧Ｖｓと、別途生成される基準電圧Ｖａとを比較し、温度センサによる検出温度が所定温度を超えているか否かを判定する。
【００６１】
この基準電圧Ｖａは、電源投入時、点灯制御回路９９によって冷陰極ランプ８８を点灯させるか否か、設定の基準となる電圧である。即ち、所定温度が、基準電圧Ｖａにより定められる。例えば、先の電源ＯＦＦから、加熱ローラ６１の温度が１００度以下に下がれば、冷陰極ランプ８８を点灯させても十分な光量が得られなくなると仮定した場合、定着部６の温度が１００度の時の温度センサＳの出力電圧Ｖｓを把握しておき、２つの抵抗Ｒ１、Ｒ２の分圧比により、基準電圧Ｖａ＝Ｖｓとなるように基準電圧Ｖａを生成すれば、コンパレータＣＯＭは、定着部６の温度が１００°Ｃ以上か否かを判別できる。従って、この場合、所定温度は１００°Ｃとなる。言い換えると、基準電圧Ｖａは、点灯制御回路９９が冷陰極ランプ８８を点灯させるかの閾値となる。即ち、点灯制御回路９９は、コンパレータＣＯＭの判定結果により、冷陰極ランプ８８を点灯させるか否かが決定され、更に、所定温度は、基準電圧Ｖａの変更により、適宜設定可能である。尚、コンパレータＣＯＭは、オープンコレクタ方式のものであり、コンパレータＣＯＭの出力にプルアップ抵抗Ｒ３が接続され、電圧Ｖ３が印加される。
【００６２】
この基準電圧Ｖａは、各画像形成装置の機種や、冷陰極ランプ８８の種類、長さ、径、特性や、定着部６の形式や加熱ローラ６１のヒータの発熱量等の要因によって、個別に設定され得るものであり、主電源ＯＦＦから加熱ローラ６１の温度が何度下がれば、冷陰極ランプ８８は所望の光量で発光しなくなるかを実験等で把握しておき、その加熱ローラ６１の温度に対応付けて、基準電圧Ｖａが決定されればよい。
【００６３】
そして、コンパレータＣＯＭの出力は、ＯＲ回路９１０に接続される。従って、コンパレータＣＯＭ（点灯制御回路９９）の出力がＨｉｇｈ状態ならば、ＯＲ回路９１０の出力もＨｉｇｈ状態となる。又、ランプ駆動回路９５は、ＯＲ回路９１０の出力がＨｉｇｈ状態の時に冷陰極ランプ８８を点灯させ、Ｌｏｗ状態の時に、冷陰極ランプ８８を消灯する。従って、コンパレータＣＯＭの出力がＨｉｇｈ状態であれば、冷陰極ランプ８８が点灯する。又、ＯＲ回路９１０の入力端子の他端は、ランプ制御線９１１により制御部９と接続される。制御部９は、通常の読み取り時やシェーディング補正時等、冷陰極ランプ８８を点灯させる場合、ランプ制御線９１１をＨｉｇｈ状態（ランプ制御信号）とする。即ち、制御部９は、冷陰極ランプ８８を点灯させる時、ランプ制御線９１１をＨｉｇｈ状態とし、冷陰極ランプ８８を消灯させる時、ランプ制御線９１１をＬｏｗ状態とする。又、制御部９のランプ制御信号と、点灯制御回路９９のランプ制御信号の２つが入力されるＯＲ回路９１０が設けられ、ＯＲ回路９１０の出力が、ランプ駆動回路９５に入力される。
【００６４】
ここで、点灯制御回路９９の出力について述べておく。まず、温度センサＳの出力電圧Ｖｓは、上述したように、検出温度が低ければ低いほど小さくなる。そして、基準電圧Ｖａにより規定される温度（所定温度）よりも加熱ローラ６１の温度が低ければ、コンパレータＣＯＭの出力はＨｉｇｈ状態となる。そうすると、冷陰極ランプ８８が発光する。言い換えると、加熱ローラ６１の温度が基準電圧Ｖａにより規定される温度よりも加熱ローラ６１の温度が低ければ、冷陰極ランプ８８も冷えていると考えられるから、冷陰極ランプ８８を点灯させるように、ランプ制御信号を出力する。
【００６５】
尚、温度センサＳとコンパレータＣＯＭの−端子間に、スイッチＳＷを設けることができる。このスイッチＳＷは、通常は接続状態（温度センサＳとコンパレータＣＯＭの−端子を接続する状態）であり、制御部９の制御信号があれば、非接続とする。これは、一定時間利用しないと、加熱ローラ６１の温度低下、又は、発熱体Ｈへの電力供給を停止する省電力モード（例えば、スリープモード）を画像形成装置は有する場合があり、省電力モードでは、加熱ローラ６１の温度が低下すれば、必要ないのに、点灯制御回路９９が冷陰極ランプ８８を点灯させてしまう場合がある。そのため、省電力モードでは、制御部９は、スイッチＳＷにより、点灯制御回路９９の動作を停止させる。尚、これは一例に過ぎず、他の方法により、点灯制御回路９９の動作を停止させても良い。
【００６６】
このように、点灯制御回路９９は、制御部９とは別の回路を構成し、制御部９の点灯制御と、別系統である。従って、複写機２が低温環境下で長時間置かれた後の主電源投入時、冷陰極ランプ８８は、制御部９の制御なしに点灯が開始される。従って、可能な限り早期に冷陰極ランプ８８の光量は、所望の光量に到達する。又、冷陰極ランプ８８が冷えていない場合、冷陰極ランプ８８の早期点灯は実施されないので、省電力も達成される。
【００６７】
次に、図６に基づき、本発明の実施形態に係る複写機２の主電源投入時の動作の一例を説明する。図６は、本発明の実施形態に係る画像読取装置１の主電源投入時の動作の一例を示すタイミングチャートである。尚、本例では、冷陰極ランプ８８が冷えきっている場合の動作について説明する。
【００６８】
まず、最上段のチャートは、複写機２の主電源のＯＮ／ＯＦＦを示す。そして、図６では、複写機２のＡ点で複写機２の主電源が投入されている。上から２段目のチャートは、制御部９の駆動のＯＮ／ＯＦＦを示している。主電源ＯＮ後、ＣＰＵ９１起動等、各種設定が完了し、実際に制御部９が各種制御や本体制御部１０との通信を開始するのがＢ点である。上から３段目のチャートは、点灯制御回路９９の出力を示している。冷陰極ランプ８８が冷えている場合、本実施形態の点灯制御回路９９の出力は、制御部９の制御とは別系統で、電源投入後直ぐに（図６においてＡ１の時点）、Ｈｉｇｈ状態となる。
【００６９】
最下段のチャートは、冷陰極ランプ８８の点灯を示している。このチャートでは、点灯制御回路９９の出力のＨｉｇｈ移行と同時に（図６においてＡ１の時点）に点灯を開始する。従って、制御部９の起動処理が完了するＢの時点よりも早く冷陰極ランプ８８の点灯が開始される。そして、Ａ１の時点からの点灯開始後、Ｃの時点で冷陰極ランプ８８が所望の光量に達し、光量が安定する。
【００７０】
そして、図６に示す冷陰極ランプ８８の光量安定から、シェーディング補正等の読み取りにおける自動調整機能の設定が行われる（Ｃの時点からＤの時点まで）。従って、図６に示す例では、Ａ〜Ｃ間（時間Ｔ１として図示）＋Ｃ〜Ｄ間（時間Ｔ２として図示）、即ち、Ｄの時点で画像読取装置１が利用可能な状態となる。
【００７１】
ここで、図６に示すＥの時点は、本制御による冷陰極ランプ８８の点灯を行わなかった場合、即ち、図８に示す従来例での画像読取装置１が利用可能な状態となる目安の時点である。言い換えると、本実施形態の発明によれば、Ｄ〜Ｅ間（時間Ｔ３として図示）の分だけ、画像読取装置１が利用できるまでの時間が短くなる（図８で言えば、Ａ´−Ｃ´間の時間が省かれる）。尚、制御部９の起動に要する時間や、用いるランプの種類、出力等の要因により、短縮される時間は異なるが、例えば、冷陰極ランプ８８を用いた場合、画像読取装置１を利用できるまでの時間は、１０秒〜４０秒程度、より確実には、少なくとも１０〜２０秒は短縮することができる。
【００７２】
次に、図７に基づき、本発明の実施形態に係る電源投入時の画像読取装置１の起動制御について、まとめとして、説明する。図７は、本発明の実施形態に係る電源投入時の画像読取装置１の起動制御の一例を示すフローチャートである。
【００７３】
まず、図７に示すスタートは、主電源投入時である。次に、温度センサＳの出力から点灯制御回路９９が、冷陰極ランプ８８が冷えているかを判定する（ステップ♯１）。もし冷えている場合は（ステップ♯１のＹｅｓ）、冷陰極ランプ８８を暖めて、光量を安定させる必要があるので、冷陰極ランプ８８を点灯させる（ステップ♯２）。即ち、点灯制御回路９９は、装置の電源投入時、制御部９が駆動する前からランプを点灯させる。一方、温度センサＳの出力から、冷陰極ランプ８８が冷えていると認められない場合（ステップ♯１のＮｏ）、点灯制御回路９９は、冷陰極ランプ８８を点灯しない（ステップ♯３）。即ち、点灯制御回路９９は、温度センサＳによる検出温度が所定温度を超えていると認められる時、冷陰極ランプ８８を点灯しない。
【００７４】
その後、制御部９が駆動を開始（ステップ♯４）し、制御部９は、点灯制御回路９９により冷陰極ランプ８８の点灯が行われた場合は、例えば、主電源投入から、又は、制御部９の起動から一定時間経過したか等を確認し、冷陰極ランプ８８は所望の光量となっているかを確認する（ステップ♯５）。尚、ステップ♯１でＮｏと判断された場合は、所望の光量となっていると判断すればよい（ステップ♯５のＹｅｓ）。そして、冷陰極ランプ８８が所望の光量となっていなければ（ステップ♯５のＮｏ）、例えば、ステップ♯２に戻る。一方、冷陰極ランプ８８が所望の光量となったと認められた場合（ステップ♯５のＹｅｓ）、制御部９は、シェーディング補正等の自動調整機能の設定を行い（ステップ♯６）、その後、画像読取装置１を利用可能状態とする（ステップ♯７→エンド）
【００７５】
このようにして、本実施形態の構成によれば、点灯制御回路９９は、装置の電源投入時、制御部９が起動する前からランプを点灯させるので、早期に、ランプ（例えば、冷陰極ランプ８８）を暖めて、ランプを所望の光量に到達させ、ランプの光量を安定させることができる。又、早期にランプの光量か安定するから、画像読取実行前の自動調整制御（シェーディング補正やゲイン調整等）に早期に移行することができる。従って、読み取った画像データの品質低下する弊害もなく、早期に画像読取装置１が利用できる状態となり、電源投入からの使用者の待ち時間の短縮化を図ることができる。
【００７６】
又、エラー状態解消やリセットのため、主電源ＯＦＦ後、直ちに主電源を投入した場合などランプがすでに暖まっている場合、電源投入時に発光安定のためのランプ発光は必要ないところ、この構成によれば、点灯制御回路９９は、温度検出体による検出温度が所定温度を超えていると認められる時、ランプを点灯させる制御を行わないので、電源投入時のランプの発光の必要性の有無を自動的に判定することができる。そして、ランプがまだ暖かいと認められる場合、主電源投入時、ランプを暖めるための余計な点灯を行わないので、消費電力の削減も達成することができる。
【００７７】
又、電源投入時のランプの発光の必要性の有無を自動的に判定するための構成は、コンパレータＣＯＭや抵抗Ｒ１、Ｒ２等を用いるのみで、非常に簡易かつ安価にできる。又、温度検出体（温度センサＳ）の構成も、サーミスタ６３と抵抗６４のみを用いたものであり、を極めて簡易かつ容易に構成することができる。又、ＯＲ回路９１０の出力が、ランプ駆動回路９５に入力されるので、制御部９からのランプ制御信号と、点灯制御回路９９のランプ制御信号の２つをランプ駆動回路９５に入力する必要がなく、配線や構成を簡易化することができる。従って、画像読取装置１の製造コストを抑えることができる。
【００７８】
又、光量が安定するまで比較的時間を要する冷陰極ランプ８８を用いた場合でも、電源投入後、早期に光量を安定させることができる。しかも、冷陰極ランプ８８は、他のランプに比べて安価であるため、画像読取装置１の製造コストを抑えることができる。又、早期にランプの光量が安定するので、こり画像読取装置１を画像形成装置（例えば、複写機２）に装着した場合、ファーストコピーまでの時間が短縮化された画像形成装置を提供することができる。又、定着部６は、ヒータを有し、トナー像を加熱して定着を行うが、定着部６は、定着可能温度に達しているか、及び、過昇温防止等の観点から温度制御が必須で温度検出体を設ける必要がある装置であるところ、この構成によれば、定着部６に設けられる温度検出体を利用するので、主電源投入時のランプを暖めるためのランプ点灯の必要性の有無の判定と、定着装置の温度検出を、１つの温度検出体で行うことができる。従って、画像形成装置の製造コストも抑えることができる。
【００７９】
次に、他の実施形態について述べる。上記実施形態では、定着部６の近傍に温度センサＳを設けたが、冷陰極ランプ８８の温度を直接検出するため、画像読取部８内で、冷陰極ランプ８８に接触又は近傍に、温度センサＳを設けても良い（図３参照）。その場合、基準電圧Ｖａの電圧値も同時に調整すればよい。又、温度センサＳは、定着部６に設けられるものと同様の構成とすればよい。
【００８０】
又、上記実施形態では、冷陰極ランプ８８を用いる例を示したが、原稿照射用として、熱陰極ランプ、キセノンランプ、ハロゲンランプといったランプを用いた場合、通常、点灯開始から所望の光量に到るまで、一定の時間を要するので、上記ランプを使用した画像読取装置１にも本発明を適用することができる。
【００８１】
以上、本発明の実施形態を説明したが、本発明の範囲はこれに限定されず、発明の主旨を逸脱しない範囲で種々の変更を加えて実施することができる。
【産業上の利用可能性】
【００８２】
本発明は、スキャナ等の画像読取装置やこれを備えた画像形成装置に利用可能である。
【図面の簡単な説明】
【００８３】
【図１】実施形態に係る複写機の概略構成を示す正面から見た模型的断面図である。
【図２】実施形態に係る温度センサの一例を示す回路図である。
【図３】実施形態に係る複写機の画像読取装置１部分の拡大模型的断面図である。
【図４】実施形態に係る複写機のブロック図である。
【図５】実施形態に係る点灯制御回路の一例を示す回路図である。
【図６】実施形態に係る画像読取装置の主電源投入時の動作の一例を示すタイミングチャートである。
【図７】実施形態に係る電源投入時の画像読取装置の起動制御の一例を示すフローチャートである。
【図８】従来の画像読取装置の主電源投入時の動作の一例を示すタイミングチャートである。
【符号の説明】
【００８４】
１    画像読取装置                        ２      複写機（画像形成装置）
６    定着部                              ６１    加熱ローラ
６３  サーミスタ（温度検出体の一部）      ６４、Ｒ１、Ｒ２  抵抗
８７  イメージセンサ                      ８８    冷陰極ランプ（ランプ）
９    制御部                              ９５    ランプ駆動回路
９９  点灯制御回路                        ９１０  ＯＲ回路
Ｓ    温度センサ（温度検出体）            Ｈ      発熱体
ＣＯＭ  コンパレータ（点灯制御回路９９の一部）
【図１】
2010004242.tif 000003
【図２】
2010004242.tif 000004
【図３】
2010004242.tif 000005
【図４】
2010004242.tif 000006
【図５】
2010004242.tif 000007
【図６】
2010004242.tif 000008
【図７】
2010004242.tif 000009
【図８】
2010004242.tif 000010